Podtech/llm-jp-corpus-v4-ja_patent huggingface dataset:
【誤訳訂正書】
【提出日】平成28年6月8日(2016.6.8)
【誤訳訂正１】
【訂正対象書類名】特許請求の範囲
【訂正対象項目名】全文
【訂正方法】変更
【訂正の内容】
【特許請求の範囲】
【請求項１】
光ファイバコネクタを研磨するための研磨装置であって、
研磨媒体を支持するベース部と、
光ファイバの末端部に固定された前記光ファイバコネクタを受容し、かつ保持するコネクタマウントと、前記ベース部内に配置されるリングギアに係合するように構成される研磨ギアと、を有する研磨パックと、を備え、前記研磨パックが前記ベース部上に載置されるとき、光ファイバのファイバ先端が、前記リングギア内に前記研磨ギアを回転係合すると、前記研磨媒体上の輪転曲線パターンをたどり、
前記コネクタマウントが、前記研磨ギア内に非対称的に載置される、研磨装置。
【請求項２】
前記リングギアが、前記リングギアの内周縁に沿って配置される複数の内歯を有し、前記研磨ギアが、前記研磨装置ハウジングの前記リングギアの前記内歯と係合する、前記研磨ギアの前記周縁から突出する複数の外歯を有する、請求項１に記載の装置。
【請求項３】
前記研磨媒体と前記研磨装置ハウジングの前記ベース部との間に配置される、１つ以上の柔軟な裏打ちパッドを更に備える、請求項１に記載の装置。
【請求項４】
前記研磨ギアの前記外歯に対する前記リングギアの前記内歯の比が、非整数値を有する、請求項２に記載の装置。
【請求項５】
前記輪転曲線が、内サイクロイドである、請求項１に記載の装置。
【請求項６】
前記ベース部に取り付けられたカバー部を更に備え、
前記カバー部が、取付リング、及び蓋を備えることができる、請求項１に記載の装置。
【請求項７】
前記光ファイバの前記先端を研磨する間、前記研磨ギアをガイドし、かつ保持するように、前記取付リングが、前記リングギアの内周縁を超えて延在するリップを形成する、請求項６に記載の研磨装置。
【誤訳訂正２】
【訂正対象書類名】明細書
【訂正対象項目名】０００６
【訂正方法】変更
【訂正の内容】
【０００６】
本発明の例示的態様によると、光ファイバコネクタを研磨する研磨装置が提供される。光ファイバコネクタは、コネクタハウジング及びフェルールを備える。研磨装置は、研磨媒体を支持するベース部と、研磨パックとを有する。研磨パックは、光ファイバの末端部に固定された光ファイバコネクタを受容し、かつ保持するコネクタマウントと、研磨ギアがリングギアの中に回転係合するとき、光コネクタに載置される光ファイバのファイバ先端が、研磨媒体上の輪転曲線パターンをたどるように、ベース部に配置されるリングギアに係合するように構成される研磨ギアとを含む。
【誤訳訂正３】
【訂正対象書類名】明細書
【訂正対象項目名】００１０
【訂正方法】変更
【訂正の内容】
【００１０】
研磨パックは、光ファイバコネクタの端部面から延在するファイバ先端が、研磨媒体上の輪転曲線をたどるように、リングギア内の、円形の経路内で移動する。
【誤訳訂正４】
【訂正対象書類名】明細書
【訂正対象項目名】００４５
【訂正方法】変更
【訂正の内容】
【００４５】
研磨プロセスの長さは、研磨装置１００の内周の周りを研磨パックが移動する回転の数によって決定される。例えば、６回転は、光ファイバの先端の、研磨媒体の表面に沿った約１メートルの移動と同等である可能性があり、８回転は、約１と１／３メートルの移動と同等である可能性がある。光ファイバの先端が研磨装置の周りを複数回転移動するので、それぞれの回転のトレースが前の回転からのパターンと重ならない、又は再度たどらないのが望ましい。図６Ｃは、典型的な研磨プロセスの間に研磨媒体１４０上を光ファイバの先端がたどる輪転曲線パターン１８０の概略図を示す。具体的には、輪転曲線パターンは、リングギアの内周に沿って回転する研磨パックの研磨ギアの結果として、内サイクロイドを形成する。この内サイクロイドパターンを形成するために、リングギアの内歯の数と、研磨ギアの外歯の数は、非整数値を有するように選択される。
【誤訳訂正５】
【訂正対象書類名】明細書
【訂正対象項目名】００５２
【訂正方法】変更
【訂正の内容】
【００５２】
研磨パックは、研磨ギア２６１と、研磨ギア内に回転可能に載置されたコネクタマウント２７１とを備え、コネクタマウントは、研磨されるべき従来の光ファイバコネクタを受容するように構成される。光コネクタ内に載置された光ファイバの末端部は、研磨パックがリングギア内に回転係合するとき、研磨媒体上で輪転曲線パターンをたどる。
【手続補正書】
【提出日】平成28年5月17日(2016.5.17)
【手続補正１】
【補正対象書類名】明細書
【補正対象項目名】００１３
【補正方法】変更
【補正の内容】
【００１３】
ピストンとシリンダの間の密閉は、ピストンが少なくとも部分的にぴったり合うようにシリンダ内に嵌合していることによって達成される。
【手続補正書】
【提出日】平成28年2月8日(2016.2.8)
【手続補正１】
【補正対象書類名】特許請求の範囲
【補正対象項目名】全文
【補正方法】変更
【補正の内容】
【特許請求の範囲】
【請求項１】
入口及び出口を有する導管を備え、活性部分が少なくとも部分的に、酸化ニッケル及び任意でニッケル元素を含む浄化材料で充填され、酸化ニッケルと任意のニッケル元素との重量比は３と等しいか、３より大きく、酸化ニッケル及び任意のニッケル元素の表面積は５０ｍ２／ｇと等しいか、５０ｍ２／ｇより大きい、室温再生可能Ｎ２Ｏ浄化装置。
【請求項２】
酸化ニッケルと任意のニッケル元素との重量比が５と等しいか、５より大きく、酸化ニッケル及び任意のニッケル元素の表面積が１００ｍ２／ｇと等しいか、１００ｍ２／ｇより大きい、請求項１に記載の室温再生可能Ｎ２Ｏ浄化装置。
【請求項３】
前記浄化材料がサポートされる、請求項１に記載の室温再生可能Ｎ２Ｏ浄化装置。
【請求項４】
前記浄化材料が、アモルファスシリカ及び酸化マグネシウムの少なくとも一つの上にサポートされる、請求項３に記載の室温再生可能Ｎ２Ｏ浄化装置。
【請求項５】
浄化材料の再生を実行するためのヒーター及び温度コントローラを備える、請求項１に記載の室温再生可能Ｎ２Ｏ浄化装置。
【請求項６】
前記活性部分が、長さＬ、幅Ｗを有する体積を区切り、長さと幅との間の比Ｌ／Ｗが、１から１５の間である、請求項１に記載の室温再生可能Ｎ２Ｏ浄化装置。
【請求項７】
前記活性部分の体積の少なくとも３０％が前記浄化材料で充填される、請求項１または３に記載の室温再生可能Ｎ２Ｏ浄化装置。
【請求項８】
前記活性部分の体積が、実質的に完全に前記浄化材料で充填される、請求項７に記載の室温再生可能Ｎ２Ｏ浄化装置。
【請求項９】
ガスマニホールドと、その自動制御と、少なくとも二つの、請求項１に記載の再生可能Ｎ２Ｏ浄化装置とを備える、室温再生可能Ｎ２Ｏ浄化装置システム。
【手続補正書】
【提出日】平成28年5月17日(2016.5.17)
【手続補正１】
【補正対象書類名】特許請求の範囲
【補正対象項目名】全文
【補正方法】変更
【補正の内容】
【特許請求の範囲】
【請求項１】
同様のカセットと共に積み重ねることができる標準的なフロー濾過カセット（１）において、３以上のポート導管（２、３、４）と、少なくともポート導管（２、３、４）の第１の導管（２）と流体連通する入口チャンバ（５）と、少なくともポート導管（２、３、４）の第２の導管（３）と流体連通する出口チャンバ（６）と、入口チャンバ（５）と出口チャンバ（６）の間にあるフィルター媒体（７）とを備えるカセット（１）であって、３以上のポート導管（２、３、４）が各々対応する入口ポート（８、９、１０）と流体連通し、かつ対応する１セットの出口ポート（１１、１２、１３）の１つとも流体連通しており、１セットの入口ポート（８、９、１０）の各々が、スタック内にあるとき隣接する同様のカセットのそれぞれの相補的な出口ポートと協働するように構成され、出口ポート（１１、１２、１３、）が各々スタック内にあるとき隣接する別の同様のカセットのそれぞれの相補的な入口ポートと協働するように構成されるカセット（１）。
【請求項２】
３以上のポート導管（２、３、４）の第３の導管（４）が、入口チャンバ（５）及び出口チャンバ（６）から流体式に隔離される、請求項１に記載のカセット（１）。
【請求項３】
入口ポート（８、９、１０）が、カセット（１）の入口側（１４）にあるくぼみとして構成され、出口ポート（１１、１２、１３）がカセット（１）の出口側（１５）にある突起として構成される、請求項１又は請求項２に記載のカセット（１）。
【請求項４】
ポート導管（２、３、４）の少なくとも第１の導管（２）の壁にあるスリット開口（１８）によって、入口チャンバ（５）との流体連通が実現し、ポート導管（２、３、４）の少なくとも第２の導管（３）の壁にあるスリット開口（１９）によって、出口チャンバ（６）との流体連通が実現する、請求項１乃至請求項３のいずれか１項に記載のカセット（１）。
【請求項５】
請求項１乃至請求項４のいずれか１項に記載の２以上、例えば３以上又は４以上のカセット（２１、２２；４１−４４）を備えるスタック（２０；４０）であって、隣接するカセット表面（２５、２６；４５、４６）にある入口（２７−３０）及び出口（３１−３４）ポートが、互いに対になるように協働するスタック（２０；４０）。
【請求項６】
少なくとも第１のカセット（４４）が、第１の孔のサイズ定格を有する第１のフィルター媒体又はフィルター媒体のシート（５５）を備え、少なくとも第２のカセット（４３）が、第１のフィルター媒体又はフィルター媒体シート（５５）とは実質的に異なる特性を備えた第２のフィルター媒体又はフィルター媒体のシート（５６）を備える、請求項５に記載のスタック（２０；４０）。
【請求項７】
一方のカセット（２２）においては、入口ポート（３５）が１つだけと、２つの出口ポート（３１、３４）であって、このうちの１つ（３１）が入口ポート（３５）と同一の導管（３８）内に形成された２つの出口ポート（３１、３４）が開放し入口又は出口チャンバと流体連通しており、隣接するカセット（２１）においては、入口又は出口チャンバと流体連通する唯一の開放したポートは、第１のカセット（２２）の開放した出口ポート（３１）と対になった１つの入口ポート（２７）と、カセット（２２）の開放した出口ポート（３４）と対になった入口ポート（３０）と、開放した入口ポート（３０）と同一のポート導管（３７）内に形成された１つの出口ポート（３６）である、請求項５又は請求項６に記載のスタック（２０；４０）。
【請求項８】
第１の孔のサイズ定格を有するフィルター材のシート（５５）を備える第１のカセット（２２；４４）の出口チャンバ（５７）が、第１の孔のサイズ定格より少なくとも１０％小さい第２の孔のサイズ定格を有するフィルター材のシート（５６）を備える第２のカセット（２１；４３）の入口チャンバ（５８）と流体連通する、請求項５乃至請求項７のいずれか１項に記載のスタック（２０；４０）。
【請求項９】
バイオプロセス供給材料の清澄化のための方法であって、
ａ）細胞培養液を準備するステップと、
ｂ）遠心分離又は細胞の沈降分離によって細胞培養液を任意選択で事前処理するステップと、
ｃ）液を請求項５乃至請求項８のいずれか１項に記載のスタック（２０；４０）を通過させるステップとを含む方法。
【請求項１０】
バイオプロセス供給材料の清澄化のためにスタック（２０；４０）を選択するための方法であって、
ａ）細胞培養液を準備するステップと、
ｂ）遠心分離又は細胞の沈降分離によって細胞培養液を任意選択で事前処理するステップと、
ｃ）請求項５、請求項６、請求項７又は請求項８のいずれか１項によって、実質的に異なる特性を有する第１、第２及び任意選択で第３のフィルター媒体又はフィルター媒体のシート（５５、５６）を備える異なるカセットのシーケンスによって複数のスタック（２０；４０）を組み立てるステップと、
ｄ）細胞培養液のアリコートをスタック（２０；４０）の各々に通過させ、流量の減衰又は逆圧の増加を測定するステップと、
ｅ）流量の減衰又は逆圧の増加のデータを利用して特定のシーケンスを有するスタック（２０；４０）を選択するステップと
を含む方法。
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
患者の血圧を連続的に監視するためのシステムであって、
測定サイクル中に患者の動脈の血圧を測定するユニットであって、前記測定サイクルが開始点及び終了点を有し、収縮期圧（ｐｓｙｓｔｏｌｉｃ）を前記測定サイクルの前記開始点の時間（ｔ０）において測定し、拡張期圧（ｐｄｉａｓｔｏｌｉｃ）を前記測定サイクルの前記終了点において測定するユニットと、
前記測定サイクル中に患者の心血管系における血圧パルスを検出するデバイスであって、前記測定サイクルの前記開始点近傍の第１のパルスは、振幅値（Ｖ１）を有し、振幅値（Ｖ２）を有する第２のパルスが前記測定サイクル内の前記終了点において検出され、前記測定サイクル中の所定の時間（ｔ１）において、Ｖ１が前記検出デバイスによって検出されるとともに第１の圧力（ｐ１）が前記測定ユニットによって測定され、初期圧力低下（Δ１）が、ｐｓｙｓｔｏｌｉｃとｐ１との差（Δ１＝ｐｓｙｓｔｏｌｉｃ−ｐ１）に等しい補正ファクタである、デバイスと、
前記収縮期圧（ｐｓｙｓｔｏｌｉｃ）を（Ｖ２＋Δ１）と相関付けてそれらの間の相関を設定し、その後、前記相関を使用して前記検出デバイスにより検出されたパルス振幅値（Ｖ２）の変化を、前記測定サイクルに続く延長時間期間中の収縮期圧（ｐｓｙｓｔｏｌｉｃ）の対応する変化の指標として特定するコンピュータと
を備えるシステム。
【請求項２】
患者の血圧を延長時間期間の間に連続的に監視するための方法であって、
測定サイクル中にユニットで患者の動脈の血圧を測定する工程であって、収縮期圧（ｐｓｙｓｔｏｌｉｃ）を前記測定サイクルの開始点の時間（ｔ０）において測定し、拡張期圧（ｐｄｉａｓｔｏｌｉｃ）を前記測定サイクルの終了点の時間（ｔ２）において測定する工程と、
デバイスで患者の心血管系において、それぞれがパルス振幅を有する血圧パルスを検出する工程と、
所定の時間（ｔ１）においてパルス振幅値（Ｖ１）を検出する工程と、
コンピュータを使用して、前記所定の時間（ｔ１）において、ｐｓｙｓｔｏｌｉｃからｐ１への初期圧力低下（Δ１）を設定する工程と、
前記時間（ｔ２）において、パルス振幅値（Ｖ２）を検出する工程と、
前記コンピュータを使用して、パルス差分（ΔＶ（ΔＶ＝Ｖ１−Ｖ２））を圧力差分（Δｐ（Δｐ＝ｐ１−ｐｄｉａｓｔｏｌｉｃ））と直接比較して、ΔＶのパルス測定基準をΔｐの圧力測定基準と相関付け、且つ、前記延長時間期間中において、ｐｓｙｓｔｏｌｉｃをＶ２＋Δ１と同等とみなし且つｐｄｉａｓｔｏｌｉｃをＶ１と同等とみなす工程と
を含む方法。
【請求項３】
延長時間期間の間に患者の血圧を連続的に監視するための触知可能なコンピュータプログラム製品であって、
プログラム部を備え、前記プログラム部が実行されると、コンピュータが、
測定サイクルの開始点の時間（ｔ０）において収縮期圧（ｐｓｙｓｔｏｌｉｃ）を測定する工程と、
所定の時間（ｔ１）においてパルス振幅値（Ｖ１）及び圧力（ｐ１）を検出する工程と、
前記所定の時間（ｔ１）において、ｐｓｙｓｔｏｌｉｃからｐ１への初期圧力低下（Δ１）を設定する工程と、
前記測定サイクルの終了点の時間（ｔ２）においてパルス振幅値（Ｖ２）を検出する工程と、
パルス差分（ΔＶ（ΔＶ＝Ｖ１−Ｖ２））を圧力差分（Δｐ（Δｐ＝ｐ１−ｐｄｉａｓｔｏｌｉｃ））と直接比較して、ΔＶのパルス測定基準をΔｐの圧力測定基準と相関付ける工程と、
前記延長時間期間中において、ｐｓｙｓｔｏｌｉｃをＶ２＋Δ１と同等とみなし且つｐｄｉａｓｔｏｌｉｃをＶ１と同等とみなす工程と
を行うコンピュータプログラム製品。
【手続補正２】
【補正対象書類名】図面
【補正対象項目名】図３
【補正方法】変更
【補正の内容】
【図３】
2015519112.tif 000001
【手続補正書】
【提出日】平成28年4月20日(2016.4.20)
【手続補正１】
【補正対象書類名】特許請求の範囲
【補正対象項目名】全文
【補正方法】変更
【補正の内容】
【特許請求の範囲】
【請求項１】
（ａ）被験者の気道への送出用の呼吸用ガスの加圧フローを生成する圧力発生器と、
（ｂ）デッドスペースのボリュームを含み、前記被験者の気道への前記呼吸用ガスの加圧フローを導く被験者インタフェースと、
（ｃ）前記被験者インタフェースにおけるフローレート及び／又は圧力に関する情報を伝達する出力信号を生成する１以上のセンサと、
（ｄ）コンピュータプログラムモジュールを実行する１以上のプロセッサと、
を有し、
前記コンピュータプログラムモジュールは、
（ｉ）前記被験者を少なくとも部分的に機械的に換気するために、前記呼吸用ガスの加圧フローを生成する前記圧力発生器を制御する制御モジュールと、
（ｉｉ）（１）呼気中に生成される前記出力信号に基づいて、吐き出された１回換気量とリークした呼気量とを決定し、
（２）後続の吸気中に生成される前記出力信号に基づいて、吸い込まれた１回換気量とリークした吸気量とを決定する、
パラメータ決定モジュールと、
（ｉｉｉ）前記吐き出された１回換気量と、前記デッドスペースのボリューム及び前記リークした呼気量の組み合わせとの第１の比較に基づいて、更に、前記吸い込まれた１回換気量と、前記デッドスペースのボリューム及び前記リークした吸気量の組み合わせとの第２の比較に基づいて、前記後続の吸気中に吸い込まれた酸素の比を推定する推定モジュールと、
を有する、換気装置。
【請求項２】
前記制御モジュールは、更に、予め決定された最小酸素の閾値を超える前記吸い込まれた酸素の比に反応して、呼気終末陽圧を増加させる、請求項１に記載の換気装置。
【請求項３】
前記被験者インタフェースに形成される１以上のリークポートは、受動機械的換気を容易にするために、前記被験者インタフェースの内部と周囲大気との間に流体連通を提供する、請求項１に記載の換気装置。
【請求項４】
前記推定モジュールは、更に、前記吸い込まれた酸素の推定された比に基づいて、前記後続の吸気中に吸い込まれた二酸化炭素の比を推定する、請求項１に記載の換気装置。
【請求項５】
前記推定モジュールは、更に、前記第１の比較に基づいて、前記デッドスペースのボリュームにおける酸素のモル比を推定し、前記吸い込まれた酸素の比の推定は、更に、前記デッドスペースのボリュームにおける前記酸素の推定されたモル比に基づく、請求項１に記載の換気装置。
【請求項６】
被験者に換気を提供中に吸い込まれた酸素の比を推定する方法であって、前記方法は、
前記被験者の気道への送出用の呼吸用ガスの加圧フローを生成するステップと、
デッドスペースのボリュームを通して、前記被験者の気道に前記呼吸用ガスの加圧フローを導くステップと、
前記呼吸用ガスの加圧フローのフローレート及び／又は圧力に関する情報を伝達する１以上のセンサによって、１以上の出力信号を生成するステップと、
前記被験者を少なくとも部分的に機械的に換気するために、前記呼吸用ガスの加圧フローを制御するステップと、
呼気中に生成される前記出力信号に基づいて、吐き出された１回換気量及びリークした呼気量を決定するステップと、
後続の吸気中に生成される前記出力信号に基づいて、吸い込まれた１回換気量及びリークした吸気量を決定するステップと、
前記吐き出された１回換気量と、前記デッドスペースのボリューム及び前記リークした呼気量の組み合わせとの第１の比較に基づいて、更に、前記吸い込まれた１回換気量と、前記デッドスペースのボリューム及び前記リークした吸気量の組み合わせとの第２の比較に基づいて、前記後続の吸気中に吸い込まれた酸素の比を推定するステップと、
を有する、方法。
【請求項７】
予め決定された最小酸素の閾値を超える前記吸い込まれた酸素の比に反応して、呼気終末陽圧を増加させるステップを更に有する、請求項６に記載の方法。
【請求項８】
受動機械的換気を容易にするために、前記デッドスペースのボリュームと周囲大気との間に流体連通を提供するステップを更に有する、請求項６に記載の方法。
【請求項９】
前記吸い込まれた酸素の推定された比に基づいて、前記後続の吸気中に吸い込まれた二酸化炭素の比を推定するステップを更に有する、請求項６に記載の方法。
【請求項１０】
前記第１の比較に基づいて、前記デッドスペースのボリュームにおける酸素のモル比を推定するステップを更に有し、前記後続の吸気中に吸い込まれた酸素の前記比を推定するステップは、更に、前記デッドスペースのボリュームにおける前記酸素の推定されたモル比に基づく、請求項６に記載の方法。
【請求項１１】
被験者に換気を提供するシステムであって、前記システムは、
前記被験者の気道への送出用の呼吸用ガスの加圧フローを生成する圧力手段と、
デッドスペースのボリュームを通して、前記被験者の気道に前記呼吸用ガスの加圧フローを導く手段と、
前記呼吸用ガスの加圧フローのフローレート及び／又は圧力に関する情報を伝達する１以上の出力信号を生成するセンサ手段と、
前記被験者を少なくとも部分的に機械的に換気するために、前記圧力手段を制御する制御手段と、
呼気中に生成される前記出力信号に基づいて、吐き出された１回換気量及びリークした呼気量を決定する手段と、
後続の吸気中に生成される前記出力信号に基づいて、吸い込まれた１回換気量及びリークした吸気量を決定する手段と、
前記吐き出された１回換気量と、前記デッドスペースのボリューム及び前記リークした呼気量の組み合わせとの第１の比較に基づいて、更に、前記吸い込まれた１回換気量と、前記デッドスペースのボリューム及び前記リークした吸気量の組み合わせとの第２の比較に基づいて、前記後続の吸気中に吸い込まれた酸素の比を推定する推定手段と、
を有する、システム。
【請求項１２】
前記制御手段は、更に、予め決定された最小酸素の閾値を超える前記吸い込まれた酸素の比に反応して、呼気終末陽圧を増加させる、請求項１１に記載のシステム。
【請求項１３】
受動機械的換気を容易にするために、前記デッドスペースのボリュームと周囲大気との間に流体連通を提供する手段を更に有する、請求項１１に記載のシステム。
【請求項１４】
前記推定手段は、更に、前記吸い込まれた酸素の推定された比に基づいて、前記続く吸気中に吸い込まれた二酸化炭素の比を推定する、請求項１１に記載のシステム。
【請求項１５】
前記推定手段は、更に、前記第１の比較に基づいて、前記デッドスペースのボリュームにおける酸素のモル比を推定し、前記後続の吸気中に吸い込まれた酸素の前記比を推定する前記推定手段の動作は、更に、前記デッドスペースのボリュームにおける前記酸素の推定されたモル比に基づく、請求項１１に記載のシステム。
【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
複数の交連ポストを有するステントと、前記ステント内に取り付けられた弁アッセンブリとを有した人工弁と、組み立て状態において前記人工弁に接続されるように構成されたホルダーとを備え、
前記ホルダーは、軸方向に延びる軸を有する基部と、前記基部に接続された第１の端から自由端に向かう方向にそれぞれ延在する複数の脚であって、前記方向は、前記軸方向の成分を含んでいる複数の脚と、前記複数の脚の各１つから前記基部の前記軸に対して半径方向外方に延在するリングホルダーと、中心軸と複数のコネクタによって接合された複数の側辺とを有するワイヤリングであって、前記複数の側辺は組み立て状態において、前記複数のコネクタよりも前記中心軸により接近して、互いに離間しており、前記ワイヤリングは、前記複数の交連ポストを包囲し、前記中心軸の周りに回転可能となるように、前記リングホルダーに取付けられており、前記ワイヤリングの回転によって、前記ワイヤリングの前記側辺が前記交連ポストに接触し、前記交連ポストを半径方向内方に撓ませるようになっている、ワイヤリングと、を備えている、人工弁移植システム。
【請求項２】
前記組み立て状態において、前記人工弁は、拘束形態および非拘束形態を有しており、前記非拘束形態において、前記複数のコネクタの各々は、前記交連ポストの該当する１つの半径方向外方に位置しており、前記複数の交連ポストは、非拘束直径を有する円を画定しており、前記拘束形態において、前記複数の側辺の各々は、前記交連ポストの該当する１つの半径方向外方に位置しており、前記複数の交連ポストは、拘束直径を有する円を画定しており、前記拘束直径は、前記非拘束直径よりも小さくなっている、請求項１に記載のシステム。
【請求項３】
前記人工弁は、３つの交連ポストを備えており、前記ワイヤリングは、３つのコネクタおよび３つの実質的に直線状の側辺を備える略三角形状を有している、請求項２に記載のシステム。
【請求項４】
前記ワイヤリングから少なくとも１つのボスが突出している、請求項１に記載のシステム。
【請求項５】
前記複数の脚のうちの少なくとも１つにおける前記自由端は、前記基部の前記軸に対して半径方向外側に延びるフランジを備えている、請求項１に記載のシステム。
【請求項６】
前記フランジは、少なくとも１つの開口を備えている、請求項５に記載のシステム。
【請求項７】
前記リングホルダーはそれぞれ、前記基部と前記脚における前記自由端との間で、前記軸方向におけるほぼ中央に位置している、請求項１に記載のシステム。
【請求項８】
前記リングホルダーはそれぞれ、前記基部に向けた開放部を定義する複数の壁を有している、請求項１に記載のシステム。
【請求項９】
前記複数の脚の少なくとも１つは、前記第１の端から前記自由端まで実質的に直線状である、請求項１に記載のシステム。
【請求項１０】
前記複数の脚の少なくとも１つは、前記第１の端から前記自由端まで連続的に湾曲している、請求項１に記載のシステム。
【請求項１１】
組み立て状態において人工弁に接続されるように構成されたホルダーであって、
前記人工弁は、複数の交連ポストを有するステントを備えており、
前記ホルダーは、軸方向に延びる軸を有する基部と、前記基部に接続された第１の端から自由端に向かう方向にそれぞれ延在する複数の脚であって、前記方向は、前記軸方向の成分を含んでいる複数の脚と、前記複数の脚の各１つから前記基部の前記軸に対して半径方向外方に延在するリングホルダーと、中心軸と複数のコネクタによって接合された複数の実質的に直線状の側辺とを有するワイヤリングであって、前記複数の実質的に直線状の側辺は、前記複数のコネクタよりも前記中心軸により接近して、互いに離間しており、前記複数のリングホルダーに取り付けられるように形成されているワイヤリングとを備え、
前記ワイヤリングは、該ワイヤリングが前記複数のリングホルダーに取り付けられたときに、前記複数の脚に対して回転可能である、ホルダー。
【請求項１２】
前記ワイヤリングは、３つのコネクタおよび３つの実質的に直線状の側辺を備える略三角形状を有している、請求項１１に記載のホルダー。
【請求項１３】
前記リングホルダーはそれぞれ、前記基部と前記脚における前記自由端の間の、前記軸方向におけるほぼ中央に位置している、請求項１１に記載のホルダー。
【請求項１４】
前記リングホルダーはそれぞれ、前記基部に向けた開放部を定義する複数の壁を有している、請求項１１に記載のホルダー。
【請求項１５】
前記ワイヤリングは、前記複数のリングホルダーに取り付けたときに、前記コネクタが前記リングホルダーの開口において前記中心軸に対して半径方向に略直線となる初めの状態から、前記側辺が前記リングホルダーの開口において前記中心軸に対して半径方向に直線となる使用状態まで回転可能である、請求項１４に記載のホルダー。
【請求項１６】
前記ワイヤリングから少なくとも１つのボスが突出している、請求項１１に記載のホルダー。
【請求項１７】
前記複数の脚のうちの少なくとも１つにおける前記自由端は、前記基部の前記軸に対して半径方向外側に延びるフランジを備えている、請求項１１に記載のホルダー。
【請求項１８】
前記フランジは、少なくとも１つの開口を備えている、請求項１７に記載のホルダー。
【請求項１９】
前記複数の脚の少なくとも１つは、前記第１の端から前記自由端まで実質的に直線状である、請求項１１に記載のホルダー。
【請求項２０】
前記複数の脚の少なくとも１つは、前記第１の端から前記自由端まで連続的に湾曲している、請求項１１に記載のホルダー。
【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
組織内の鏡面対象及びターゲット解剖構造を超音波でイメージングする方法であって、
前記ターゲット面に位置するターゲット解剖構造を含む前記組織のボリュメトリック領域に、第１の音波を送信し、前記ターゲット面から前記第１の音波のエコーを受信し、２次元組織画像を生成するよう前記受信されたエコーを処理する組織イメージングステップであって、組織モードに特化したパラメータセットを使用する、組織イメージングステップと、
鏡面対象を含む前記組織のボリュメトリック領域に第２の音波を送信し、前記ターゲット面を含む複数の画像平面から前記第２の音波のエコーを受信する鏡面対象イメージングステップであって、前記複数の画像平面は、前記ターゲット面を中心に選択された仰角をなして仰角方向に離間しており、前記鏡面対象イメージングステップは、鏡面対象モードに特化したパラメータセットを使用する、鏡面対象イメージングステップと、
を含み、前記鏡面対象イメージングステップは、３次元の鏡面対象画像の組を生成するよう前記ターゲット面を含む前記複数の画像平面から受信された前記第２の音波のエコーを処理することを含み、前記方法が更に、前記２次元組織画像及び前記３次元の鏡面対象画像の組を組み合わせることによって、組み合わされた画像を表示する表示ステップを含む、方法。
【請求項２】
前記鏡面対象イメージングステップは、前記複数の画像平面の各個別の平面から鏡面対象をセグメント化し、セグメント化された個別の平面から鏡面対象画像を生成するように適応される、請求項１に記載の方法。
【請求項３】
前記複数の画像平面から前記鏡面対象をセグメント化するために３次元セグメント化を実施するセグメント化ステップを更に含む、請求項１に記載の方法。
【請求項４】
少なくとも２つの組織イメージングステップ及び少なくとも２つの鏡面対象イメージングステップを含み、前記組織イメージングステップは、前記鏡面対象イメージングステップとインタリーブされて実施される、請求項１に記載の方法。
【請求項５】
前記複数の画像平面における前記画像平面は、前記ターゲット面が前記組織イメージングステップにおいてイメージングされるイメージングレートより低いイメージングレートで、前記鏡面対象イメージングステップにおいてイメージングされる、請求項１に記載の方法。
【請求項６】
組織内の鏡面対象及びターゲット解剖構造をイメージングする超音波イメージング装置であって、
前記組織のボリュメトリック領域に音波を送信し、前記音波のエコーを受信するアレイトランスデューサであって、仰角ステアリング能力を有するアレイトランスデユーサと、
第１の音波が、ターゲット面に位置するターゲット解剖構造を含むボリュメトリック領域に送信され、前記第１の音波のエコーが、前記ターゲット面から受信されるように、前記アレイトランスデューサによる音波の送信を制御し、第２の音波が、前記鏡面対象を含む前記ボリュメトリック領域に送信され、前記第２の音波のエコーが、前記ターゲット面を含む複数の画像平面から受信されるように、前記アレイトランスデューサによる音波の送信を制御するビームフォーマであって、前記複数の画像平面が、前記ターゲット面を中心として選択された仰角をなして仰角方向に離間している、ビームフォーマと、
２次元組織画像を生成するよう前記第１の音波の前記受信されたエコーを処理し、及び３次元の鏡面対象画像の組を生成するよう前記ターゲット面を含む前記複数の画像平面から受信された前記第２の音波のエコーを処理するデータプロセッサと、
前記２次元組織画像及び前記３次元の鏡面対象画像の組を組み合わせることによって組み合わされた画像を表示するための画像プロセッサと、
を有する超音波イメージング装置。
【請求項７】
前記データプロセッサは、前記複数の画像平面から鏡面対象をセグメント化する、請求項６に記載の超音波イメージング装置。
【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
光を吸収し放射できる光活性剤と、
リン酸カルシウム無機物と、
ヒアルロン酸
を含む組成物。
【請求項２】
前記光活性剤が、前記組成物の総重量の少なくとも0.2重量%の量で存在する、請求項1に記載の組成物。
【請求項３】
前記光活性剤がキサンテン染料またはフルオレセイン誘導体である、請求項1または2に記載の組成物。
【請求項４】
前記フルオレセイン誘導体がエオシンYである、請求項3に記載の組成物。
【請求項５】
前記リン酸カルシウム無機物が粒子形態である、請求項1〜4のいずれか1つに記載の組成物。
【請求項６】
前記リン酸カルシウム無機物がヒドロキシアパタイトを含む、請求項1〜5のいずれか1つに記載の組成物。
【請求項７】
前記リン酸カルシウム無機物が、前記組成物の総重量の10〜95重量%である、請求項1〜6のいずれか1つに記載の組成物。
【請求項８】
前記ヒアルロン酸が架橋ヒアルロン酸である、請求項1〜7のいずれか1つに記載の組成物。
【請求項９】
前記ヒアルロン酸が、前記組成物の総重量の5〜90重量%である、請求項1〜8のいずれか1つに記載の組成物。
【請求項１０】
リン酸カルシウム無機物対ヒアルロン酸の比率が1:9、1.5:8.5、2:8、2.5:7.5、3:7、6:4、6.5:3.5、7:3、8:2、8.5:1.5、9:1または9.5:0.5である、請求項1〜9のいずれか1つに記載の組成物。
【請求項１１】
グルコサミンをさらに含む、請求項1〜10のいずれか1つに記載の組成物。
【請求項１２】
前記ヒアルロン酸および前記グルコサミンが、前記組成物の総重量の10〜90重量%である、請求項11に記載の組成物。
【請求項１３】
前記ヒアルロン酸および前記グルコサミンが、前記組成物の総重量の10〜70重量%である、請求項11に記載の組成物。
【請求項１４】
ヒアルロン酸対グルコサミンの比率が1:1、3:2、7:3、4:1または9:1である、請求項11〜13のいずれか1つに記載の組成物。
【請求項１５】
前記組成物が、治療部位への前記組成物の配置後、3ヶ月で治療部位の検出可能な骨増殖を促進する、請求項1〜14のいずれか1つに記載の組成物。
【請求項１６】
骨を再生、修復または造成するための治療に用いられる、光活性剤、リン酸カルシウム無機物、およびヒアルロン酸を含む組成物。
【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
ゲル形成繊維のマットを有する創傷包帯であって、
０．１重量％と２０重量％の間の銀を含んでおり、
マットは、創傷の治療に用いられる限定された吸収性の繊維又は糸で、補強された開放的な構造を有しており、１平方センチメートルにつき、６０未満のニードル穿孔密度を有する、創傷包帯。
【請求項２】
上記マットは、ニードルで穿孔された、ゲル形成不織繊維のマットである、請求項１に記載の創傷包帯。
【請求項３】
上記マットは、１平方メートルにつき、５０から２００グラムの基本重量を有する、請求項１又は２に記載の創傷包帯。
【請求項４】
上記開放的な構造は、規則的な、又は不規則的な、２次元の、又は３次元の、与えられた質量に対して大きな容積を有する、繊維の配置によって画定され、内部の自由体積は、固形化した繊維の体積を上回る、請求項１〜３の何れか一つに記載の創傷包帯。
【請求項５】
上記マットは、マットにおける上記ゲル形成繊維とブレンドされた織物繊維で補強されている、請求項１〜４の何れか一つに記載の創傷包帯。
【請求項６】
上記マットは、織物繊維の糸によるステッチボンディングで補強されている、請求項１〜５の何れか一つに記載の創傷包帯。
【請求項７】
上記マットは、縦方向のステッチのラインによるステッチボンディングで補強されている、請求項１〜６の何れか一つに記載の創傷包帯。
【請求項８】
上記ゲル形成繊維は、修飾されたセルロースゲル形成繊維である、請求項１〜７の何れか一つに記載の創傷包帯。
【請求項９】
１平方センチメートルにつき、６０、又はこれよりも高い、ニードル穿孔密度を有するマットからなる包帯よりも、少なくとも２５％低い水分蒸散率を有する、請求項１〜８の何れか一つに記載の創傷包帯。
【請求項１０】
最初の４８時間の着用を通して、７５％未満の（包帯からのパーセンテージ重量損失で測定されるような）水分蒸散率を有することによって、創傷の水和作用を維持する、請求項１〜９の何れか一つに記載の創傷包帯。
【手続補正２】
【補正対象書類名】明細書
【補正対象項目名】００２２
【補正方法】変更
【補正の内容】
【００２２】
我々は、乾燥した創傷包帯における銀の望ましい最終濃度が、たとえば、０．１重量％と２０重量％の間にあることを見出した。好ましくは、包帯の０．１重量％と１０重量％の間、そして、より好ましくは、０．５重量％と５重量％の間にある。そのような濃度は、国際公開第０２／４３７４３（Ａ）号パンフレット（特許文献２）に記載されている準備方法によって、達成されることができる。
【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
ダイバータプレートと、
該ダイバータプレートに形成される凹部と、
前記ダイバータプレートに形成される前記凹部の表面から第１の方向に突出し、開口側壁部を含む、オリフィスと、
前記凹部の前記表面から前記第１の方向に突出し、前記開口側壁部と前記ダイバータプレートの縁部との間で中央に配置される、バンパー部と、を含み、
前記オリフィスは、前記ダイバータプレートを取り付ける調理チャンバの取付け具を受けるように構成され、
前記オリフィスの前記開口側壁部は、バンパー部に向かって開口するように構成され、
前記凹部は、前記オリフィスから延びる、
ダイバータ。
【請求項２】
前記バンパー部の高さは、前記凹部の深さに実質的に等しい、
請求項１に記載のダイバータ。
【請求項３】
前記調理チャンバの取付け具は、前記調理チャンバに移送される調理用媒体を受けるための、流体的密封結合をもたらす、
請求項１に記載のダイバータ。
【請求項４】
前記バンパー部は、前記調理チャンバに入る前記調理用媒体を、前記バンパー部の周辺で増加した速度で分散させるように構成され、前記調理チャンバ内の小片は、前記調理チャンバ内の排油管へ向けて洗い流される、
請求項３に記載のダイバータ。
【請求項５】
前記オリフィスは、実質的に半円形の断面を有する円筒形部分を含む、
請求項１に記載のダイバータ。
【請求項６】
前記凹部の側部は、前記オリフィスからの距離が大きくなるに従って前記側部の間の距離が大きくなるように傾斜させられ、
前記凹部の側部は、前記オリフィスの前記開口側壁部から前記ダイバータプレートの縁部まで延びる、
請求項１に記載のダイバータ。
【請求項７】
前記バンパー部の断面は、実質的に円形である、
請求項１に記載のダイバータ。
【請求項８】
その内部に調理用媒体を保持し、且つその内部で食品を調理するように構成される調理チャンバであって、
前記調理チャンバ内に保持される前記調理用媒体に熱を伝えるように構成される発熱体と、
壁と、
前記壁に形成される注入口と、
前記注入口に隣接して配置されて、前記壁によって画定される油槽の中へ前記注入口を通して移送される調理用媒体を受けるための、流体的密封結合をもたらすように構成される調理チャンバ取付け具と、
前記注入口に隣接して配置されるダイバータと、を含み、
該ダイバータは、
ダイバータプレートと、
該ダイバータプレートに形成される凹部と、
前記ダイバータプレートに形成される前記凹部の表面から突出するオリフィスであって、開口側壁部を含み、調理用媒体が通過できるように、前記調理チャンバ取付け具を受けるように構成される、オリフィスと、
前記凹部の前記表面から突出し、前記オリフィスに近接して配置される、バンパー部と、を含み、
前記凹部は、前記オリフィスから延び、
前記オリフィスの前記開口側壁部は、前記バンパー部に向かって開口するように構成され、
前記凹部は、前記注入口に面する、
調理チャンバ。
【請求項９】
前記バンパー部は、前記注入口を通って移送される前記調理用媒体を、前記バンパー部の周辺で増加した速度で分散させるように構成され、前記調理チャンバ内の小片は、前記調理チャンバ内の排油管へ向けて洗い流される、
請求項８に記載の調理チャンバ。
【請求項１０】
前記バンパー部の高さは、前記凹部の深さに実質的に等しい、
請求項８に記載の調理チャンバ。
【請求項１１】
前記オリフィスは、実質的に半円形の断面を有する円筒形部分を含む、
請求項８に記載の調理チャンバ。
【請求項１２】
前記凹部の側部は、前記オリフィスからの距離が大きくなるに従って前記側部の間の距離が大きくなるように傾斜させられている、
請求項８に記載の調理チャンバ。
【請求項１３】
前記凹部の側部は、前記オリフィスの前記開口側壁部から前記ダイバータプレートの縁部まで延びる、
請求項８に記載の調理チャンバ。
【請求項１４】
前記バンパー部の断面は、実質的に円形である、
請求項８に記載の調理チャンバ。
【請求項１５】
その内部に調理用媒体を保持し、且つその内部で食品を調理するように構成される調理チャンバと、
前記調理チャンバと流体連通するように配置され、前記調理チャンバ内の排油管を介して、前記調理チャンバから、前記調理用媒体を受け取り且つ濾過するように構成される濾過パンと、
濾過された前記調理用媒体を濾過パンから前記調理チャンバへポンプ輸送するように構成される濾過ポンプと、
前記調理チャンバの壁に形成され、濾過された前記調理用媒体が前記調理チャンバに入る注入口と、
前記注入口に隣接して配置されるダイバータと、
該ダイバータに形成される凹部と、を含み、
前記ダイバータは、前記ダイバータに形成される前記凹部から突出するバンパー部を含み、
前記凹部は、前記注入口に面する、
調理装置。
【請求項１６】
前記ダイバータは、前記調理チャンバ内の小片が前記調理チャンバの前記排油管へ向けて洗い流されるように、前記調理用媒体を分散させるように構成され、
前記バンパー部は、前記調理チャンバに入る前記調理用媒体を前記バンパー部の周りで増加した速度で分散させるように構成される、
請求項１５に記載の調理装置。
【請求項１７】
前記バンパー部の高さは、前記凹部の深さに実質的に等しい、
請求項１５に記載の調理装置。
【請求項１８】
前記ダイバータは、前記ダイバータに形成される前記凹部から突出するオリフィスであって、開口側壁部を含み、前記注入口に隣接して配置される調理チャンバ取付け具を受けるように構成されるオリフィスを含む、
請求項１５に記載の調理装置。
【請求項１９】
前記凹部の側部は、前記オリフィスからの距離が大きくなるに従って前記側部の間の距離が大きくなるように、傾斜させられる、
請求項１８に記載の調理装置。
【請求項２０】
前記オリフィスは、実質的に半円形の断面を有する円筒形部分を含み、
前記オリフィスの前記開口側壁部は、前記バンパー部に向かって開口するように構成される、
請求項１８に記載の調理装置。
【手続補正書】
【提出日】平成28年5月2日(2016.5.2)
【手続補正１】
【補正対象書類名】特許請求の範囲
【補正対象項目名】全文
【補正方法】変更
【補正の内容】
【特許請求の範囲】
【請求項１】
注射器組立体１００において、
ストッパ１２５を含むプランジャ１１０と、
開口した第１の端部１８０と反対側の第２の端部１８５とを有する外筒１０５において、前記開口した第１の端部１８０が前記プランジャ１１０を受け入れるように構成される前記外筒１０５と、
前記第２の端部１８５に取り外し可能に取り付けられる先端キャップ１１５とを備え、
前記ストッパ１２５と前記先端キャップ１１５との間で前記外筒１０５内にチャンバ２３０が形成され、前記チャンバ２３０が滅菌感受性物質を収容し、
前記外筒１０５は、前記滅菌感受性物質が滅菌処置中に不変であるように、前記滅菌感受性物質と滅菌の目的で生成されたガスとの間にバリアを作り出すプラスチック材料で形成されることを特徴とする注射器組立体１００。
【請求項２】
請求項１に記載の注射器組立体１００において、前記プラスチック材料が、環状オレフィンポリマー（ＣＯＰ）および環状オレフィンコポリマー（ＣＯＣ）の少なくとも１つを含むことを特徴とする注射器組立体１００。
【請求項３】
請求項１または２に記載の注射器組立体１００において、前記ストッパ１２５が、滅菌感受性物質と滅菌から生成されたガスとの間にバリアを作り出すように構成された熱可塑性エラストマーで形成されることを特徴とする注射器組立体１００。
【請求項４】
請求項３に記載の注射器組立体１００において、前記エラストマーがブチルゴムであることを特徴とする注射器組立体１００。
【請求項５】
請求項１乃至４の何れか１項に記載の注射器組立体１００において、前記ストッパ１２５が、径方向外方に延びるとともに、外筒１０５の内面に係合して、漏れのない機械的係合を作り出すように構成された少なくとも１つのワイパ１５０を含むことを特徴とする注射器組立体１００。
【請求項６】
請求項５に記載の注射器組立体１００において、前記外筒１０５が、前記外筒１０５の内面の径方向内方に延びる外筒フランジ２１０を含み、前記外筒フランジが、前記外筒１０５からの前記プランジャ１１０の排出を防止するために、プランジャフランジ１７０または少なくとも１つのワイパ１０５に係合するように構成されることを特徴とする注射器組立体１００。
【請求項７】
請求項１乃至６の何れか１項に記載の注射器組立体１００において、前記滅菌処置が、ＥｔＯ滅菌および高圧蒸気滅菌の少なくとも１つを含むことを特徴とする注射器組立体１００。
【請求項８】
包装されたキットにおいて、
プラスチック容器システム１００であって、
プランジャ１１０と、前記プランジャ１１０を受け入れるように構成された外筒１０５とを有し、
前記プランジャ１１０がストッパ１２５を含み、前記外筒１０５が、開口した第１の端部１８０において前記プランジャ１１０を受け入れるように構成され、
前記容器システム１００がさらに、前記外筒１０５の第２の端部１８５に取り外し可能に取り付けられる先端キャップ１１５を備え、前記ストッパ１２５と前記先端キャップ１１５との間で前記外筒１０５内に密封されたチャンバ２３０が形成され、前記チャンバ２３０がその中に滅菌感受性物質を収容し、
更に、前記外筒１０５は、前記滅菌感受性物質が滅菌処置中に不変であるように、前記滅菌感受性物質と滅菌の目的で生成されたガスとの間にバリアを作り出すプラスチック材料で形成されている、プラスチック容器システム１００と、
前記容器システムが受け入れられる包装材と、
を備えることを特徴とする包装されたキット。
【請求項９】
請求項８に記載の包装されたキットにおいて、前記プラスチック材料が、環状オレフィンポリマー（ＣＯＰ）および環状オレフィンコポリマー（ＣＯＣ）の少なくとも１つを含むことを特徴とする包装されたキット。
【請求項１０】
請求項８または９に記載の包装されたキットにおいて、前記ストッパ１２５が、前記滅菌感受性物質と滅菌の目的で生成された前記ガスとの間に密封バリアを作り出すように構成された熱可塑性エラストマーで形成されることを特徴とする包装されたキット。
【請求項１１】
請求項１０に記載の包装されたキットにおいて、前記エラストマーがブチルゴムであることを特徴とする包装されたキット。
【請求項１２】
請求項８乃至１１の何れか１項に記載の包装されたキットにおいて、前記ストッパ１２５が、前記プランジャ１１０の円筒部分１４０から径方向外方に延びるとともに、外筒１０５の内側との嵌合面を作り出し、漏れのない機械的係合を作り出すように構成された少なくとも１つのワイパ１５０を含むことを特徴とする包装されたキット。
【請求項１３】
請求項８乃至１２の何れか１項に記載の包装されたキットにおいて、前記外筒１０５が、前記外筒１０５の内面の径方向内方に延びる外筒フランジ２１０を含み、前記外筒フランジが、前記外筒１０５からの前記プランジャ１１０の排出を防止するために、プランジャフランジ１７０または少なくとも１つのワイパ１０５に係合するように構成されることを特徴とする包装されたキット。
【請求項１４】
請求項８乃至１３の何れか１項に記載の包装されたキットにおいて、前記滅菌処置が、ＥｔＯ滅菌および高圧蒸気滅菌の少なくとも１つを含むことを特徴とするキット。
【請求項１５】
請求項８乃至１４の何れか１項に記載の包装されたキットにおいて、バイアル滅菌感受性物質を収容するように構成されるとともに、前記バイアル感受性物質が滅菌処置中に不変であるように、前記バイアル滅菌感受性物質と滅菌の目的で生成された前記ガスとの間にバリアを作り出すように構成された材料で作られたバイアル２４０を更に備えることを特徴とする包装されたキット。
【請求項１６】
滅菌方法において、
注射器組立体１００を組み立てるステップであって、
外筒１０５の第１端部において前記外筒１０５にプランジャ１１０を挿入して、前記外筒１０５の第１端部を密封することと、
前記外筒１０５の第１端部とは反対側の第２端部において、前記外筒１０５内に滅菌感受性物質を充填することと、
前記外筒１０５の前記第２端部に先端キャップ１１５を挿入して、前記外筒１０５内に前記滅菌感受性物質を密封することと、
を含む、注射器組立体１００を組み立てるステップと、
前記注射器組立体１００を包装体に挿入して包装されたキットを作り出すステップと、
前記包装されたキットの最終滅菌を実行するステップとを備え、滅菌にさらされたときに、前記滅菌感受性物質が実質的に不変であることを特徴とする滅菌方法。
【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
互いに解放可能に接続されることができる第１の部材及び第２の部材を持つ、ユーザにガスを供給する患者インタフェースにおいて、前記第１の部材が、第１のアライメントマーカを有し、前記第２の部材が、第２のアライメントマーカを有し、前記第１及び第２のアライメントマーカは、前記第１の部材及び前記第２の部材が互いに接続される場合に、互いと重なり第３のアライメントマーカを作成し、前記第３のアライメントマーカが、前記第１及び第２の部材の適切なアライメントを示す、患者インタフェース。
【請求項２】
前記第１の部材が、第１の接触領域を有し、前記第２の部材が、第２の接触領域を有し、前記第１の接触領域が、前記第１のアライメントマーカを有し、前記第２の接触領域が、前記第２のアライメントマーカを有し、前記第１及び第２の接触領域は、前記第１の部材及び前記第２の部材が互いに接続される場合に、少なくとも部分的に互いと重なる、請求項１に記載の患者インタフェース。
【請求項３】
前記第１の接触領域は、前記第１の部材及び前記第２の部材が互いに接続される場合に、前記第２の接触領域と接触する、請求項２に記載の患者インタフェース。
【請求項４】
前記第１の部材が、ユーザの顔に接触するクッションを有し、前記第２の部材が、前記クッションを保持するマスクシェルを有する、請求項１に記載の患者インタフェース。
【請求項５】
前記第２の接触領域が、前記マスクシェル内の凹所として形成され、前記第１の接触領域が、前記クッションを前記マスクシェルと接続するように前記凹所内に配置されうる前記クッションの一部である、請求項２及び４に記載の患者インタフェース。
【請求項６】
前記第１のアライメントマーカが、前記第２のアライメントマーカとは異なる、請求項１に記載の患者インタフェース。
【請求項７】
前記第３のアライメントマーカが、前記第１及び第２のアライメントマーカとは異なる、請求項１に記載の患者インタフェース。
【請求項８】
前記第１のアライメントマーカが、第１の色を持ち、前記第２のアライメントマーカが、前記第１の色とは異なる第２の色を持ち、前記第１及び第２のアライメントマーカは、前記第１の部材及び前記第２の部材が互いに接続される場合に、共同して前記第３のアライメントマーカを作成し、前記第３のアライメントマーカが、前記第１及び第２の色とは異なる第３の色を持つ、請求項１に記載の患者インタフェース。
【請求項９】
前記第３の色が、前記第１及び第２の色の色混合である、請求項８に記載の患者インタフェース。
【請求項１０】
前記第２の色が、前記第１の色の補色である、請求項８に記載の患者インタフェース。
【請求項１１】
前記第１のアライメントマーカが、前記第１の接触領域全体を覆い、前記第２のアライメントマーカが、前記第２の接触領域全体を覆う、請求項２に記載の患者インタフェース。
【請求項１２】
前記第３のアライメントマーカが、視覚的アイコンであり、前記第１のアライメントマーカが、前記視覚的アイコンの第１の部分を有し、前記第２のアライメントマーカが、前記視覚的アイコンの第２の部分を有する、請求項１に記載の患者インタフェース。
【請求項１３】
前記第１の部材が、追加の第４のアライメントマーカを有し、前記第２の部材が、前記第４のアライメントマーカと同一である追加の第５のアライメントマーカを有し、前記第４及び第５のアライメントマーカが、互いと重なる及び／又は互いに適合するように構成される、請求項１に記載の患者インタフェース。
【請求項１４】
請求項１ないし１３のいずれか一項に記載のユーザにガスを供給する患者インタフェースにおいて使用する第１の部材において、前記第１の部材が、前記患者インタフェースの第２の部材に解放可能に接続されることができ、前記第１の部材は、前記第１の部材及び前記第２の部材が互いに接続される場合に、前記第２の部材上に構成された第２のアライメントマーカと共同して第３のアライメントマーカを作成する第１のアライメントマーカを有し、前記第３のアライメントマーカが、前記患者インタフェースの前記第１及び第２の部材の適切なアライメントを示す、第１の部材。
【請求項１５】
請求項１ないし１３のいずれか一項に記載のユーザにガスを供給する患者インタフェースにおいて使用する第２の部材において、前記第２の部材が、前記患者インタフェースの第１の部材に解放可能に接続されることができ、前記第２の部材は、前記第１の部材及び前記第２の部材が互いに接続される場合に、前記第１の部材上に構成された第１のアライメントマーカと共同して第３のアライメントマーカを作成する第２のアライメントマーカを有し、前記第３のアライメントマーカが、前記患者インタフェースの前記第１及び第２の部材の適切なアライメントを示す、第２の部材。